(57)【要約】      （修正有）【課題】  授乳母親に着衣されるのに適した下着を提供する。【解決手段】  ウエスト被覆部２と；このウエスト被覆部をブラジャー４に着脱自在に取着させるための少なくとも１つの留め具３とを具備してなり；この下着を通常に着衣したとき、下着１が着衣者の乳房を被覆しないようにしてなる。下着は着衣者の乳房を被覆することがなく、乳房を露出させるのに下着を調え直すことを要することなく、乳児に対する授乳を可能にするものである。又、留め具は任意のタイプのものでよい。【選択図】図２
2007131995.tif 000002
【特許請求の範囲】
【請求項１】
使用時において、着衣者の乳房より下の部分から実質的に腰部まで延出したウエスト被覆部と；
該ウエスト被覆部に設けられ、該ウエスト被覆部をブラジャーに着脱自在に取着させるための少なくとも１つの留め具であって、該留め具が非特定目標素材又は機器に着脱自在に取着されるようになっていて、それにより前記ウエスト被覆部を従来のブラジャーに着脱自在に取着させる留め具と；
を具備してなる下着であって；
前記下着を通常に着衣したとき、該下着が着衣者の乳房を被覆することのないようにした下着。
【請求項２】
前記の少なくとも１つの留め具が前記下着から着脱自在となっている請求項１記載の下着。
【請求項３】
前記の少なくとも１つの留め具が前記ウエスト被覆部の複数の位置に対し移動自在に配置されるようになっている請求項２記載の下着。
【請求項４】
前記の少なくとも１つの留め具がサスペンダータイプのクリップである請求項１記載の下着。
【請求項５】
前記の少なくとも１つの前記留め具を前記ウエスト被覆部に接続させるための少なくとも１つの留め具受入れ部分を更に有し、該少なくとも１つの留め具受入れ部分が前記ウエスト被覆部の上縁に取着された弾性帯体を含む請求項１記載の下着。
【請求項６】
前記の少なくとも１つの前記留め具を前記ウエスト被覆部に接続させるための少なくとも１つの留め具受入れ部分を更に有し、該少なくとも１つの留め具受入れ部分が前記ウエスト被覆部の上縁に取着された少なくとも１つのループを含む請求項１記載の下着。
【請求項７】
前記の少なくとも１つの前記留め具をウエスト被覆部に接続させるための少なくとも１つの留め具受入れ部分を更に有し、該少なくとも１つの留め具受入れ部分が前記ウエスト被覆部の上縁に取着された少なくとも１つのフックを含む請求項１記載の下着。
【請求項８】
前記ウエスト被覆部が、前記着衣者の首部及び／又は肩部を越えて延出する少なくとも１つのストラップを受入れるようになっている請求項１記載の下着。
【請求項９】
前記ウエスト被覆部に取着され、前記着衣者の首部及び／又は肩部を越えて延出する少なくとも１つのストラップを更に有する請求項１記載の下着。
【請求項１０】
前記の少なくとも１つのストラップがウエスト被覆部から着脱自在となっている請求項８記載の下着。
【請求項１１】
前記の少なくとも１つのストラップがウエスト被覆部から着脱自在となっている請求項９記載の下着。
【発明の詳細な説明】
【技術分野】
【０００１】
本発明は、特に授乳している母親に着衣されるのに適した下着に関する。
【背景技術】
【０００２】
新米の母親にとって、１つの大きな関心事は、公衆の場で乳児に授乳させる必要性である。授乳は母親にとって、乳児に授乳させるため少なくとも一方の乳房を露出させることが求められる。このような要請は、母親にとって非常に露出した感じを生じさせ、照れくささを生じさせる。その結果、多くの新しい母親は乳児に対する授乳の必要性の恐れ、つまり、その場合の気恥ずかしさおよび不快感から公の場に出難くさせる。
【０００３】
この公衆の場での露出および気恥ずかしさの感じは、乳房を露出させるため、着ている衣服を整え直す必要性により高められることになる。最も控えめな方法として、授乳のため乳児を乳房に接近させるため、母親はシャツを持ち上げ乳房の上に寄せ集めることをしばしば求められる。これにより、母親の乳房が公衆の場で露出されるだけではなく、母親の腹部および背中部分も露出されることになる。この照れくささおよび気恥ずかしさは、特に、母親の体形が通常、妊娠前のものと同じでなくなる出産直後において強く感じられるものである。母親および乳児の双方に不必要な心配およびストレスを特に与えることなく、控えめに授乳を行うことは非常に困難である。
【０００４】
授乳の間の衣服の整え直しによる母親腹部および背中部分の露出は、更に、特に冬の期間においては、母親に非常なる寒さを生じさせることになる。寒い気候における腹部又は背中部分の露出は従って、母親の病気につながることになる。母親は授乳の際において、より短いトップおよびシャツを着ることを選択しなくなる。なぜならば、より短いトップは、授乳の際において母親の背中の殆ど全体を露出させることになるからである。これは、母親が通常の衣服を着ることを妨げることになる。
【０００５】
更に、寒い気候の間において、母親は暖かさを保つため衣服を重ねて着たがる。例えば、タンクトップ、スペンサーおよびキャミソールなどを重ね着する。これらの下着が全て母親の乳房を覆うようにしたとき、授乳の際に乳房を露出させるため、これらの下着を整え直す必要が生じる。このことは、何枚もの衣服又は下着を押し上げ、乳房の上に寄せ集める必要を生じさせる。従って、衣服の何枚もの層が乳児の顔面の間近かに位置することになり、これは授乳の間において、乳児にとって危険であると共に不快にさせる。
【０００６】
授乳の際に、母親が多数枚の衣服を整え直す必要がなく、又、母親の腹部又は背中を露出することがなくなれば、それは有益なことである。
【０００７】
出産後に授乳用ブラジャーを着衣することは母親にとって好ましいものである。授乳用ブラジャーは、母親の乳房への接近を容易にし、授乳を容易にする。授乳用ブラジャーの１つの形態は、ブラジャー支持体に対しブラジャーカップが着脱自在となっており、乳房に対し接近可能にしたものである。授乳用ブラジャーは更に、出産後および乳児への授乳期間全体に亘って苦しく、張った状態となり得る乳房に対するサポートを提供するものである。従って、授乳用ブラジャーは、それ自体、授乳を容易にするものであるが、授乳用ブラジャーへの接近のためには、下着を含む母親の衣服を依然として持ち上げ、乳房の上に寄せ集める必要がある。
【発明の開示】
【発明が解決しようとする課題】
【０００８】
本発明の１つの目的は、授乳の際の母親の心配の幾つかを軽減することができ、かつ、母親にとって授乳の際の露出を好ましく少なくすることができる下着を提供することである。
【課題を解決するための手段】
【０００９】
上記目的に鑑み、本発明は、大略的に、着衣者の乳房より下の部分から実質的に腰部まで延出したウエスト被覆部と；該ウエスト被覆部をブラジャーに取着させるための手段とを具備してなる下着であって、この下着を通常通り着衣したとき、この下着が着衣者の乳房を被覆することのないようにした下着を提供する。
【００１０】
１つの形態として、本発明は、使用時において、着衣者の乳房より下の部分から実質的に腰部まで延出したウエスト被覆部と；該ウエスト被覆部に設けられ、該ウエスト被覆部をブラジャーに着脱自在に取着させるための少なくとも１つの留め具であって、該留め具が非特定目標素材又は機器に着脱自在に取着されるようになっていて、それにより前記ウエスト被覆部が従来のブラジャーに着脱自在に取着させる留め具と、を具備してなる下着であって、前記下着を通常に着衣したとき、下着が着衣者の乳房を被覆することのないようにした下着を提供する。
【００１１】
本発明の下着は、着衣者の乳房を被覆することがなく、それにより、乳房を露出させるのに下着を調え直すことを要することなく、乳児に対する授乳を可能にする。外衣（例えば、シャツ）だけを、授乳の際に着衣者の乳房より上に上げるよう整え直せばよく、それにより乳児の顔面の近くに寄せられる衣服の量を少なくすることができる。
【００１２】
なお、上述の“非特定目標素材又は機器”の用語は、特別に対応させた嵌め合い部分を有しないタイプの留め具の使用を可能にする任意の素材又は表面を示すものである。
【００１３】
上述の“従来のブラジャー”の用語は、任意の標準のもので、変更が加えられておらず、特別に処理されていないようなブラジャーを指すもので、それにより標準のブラジャーの任意のものに対して取着可能な任意のタイプの留め具の使用を可能にするものである。
【００１４】
更に、この下着が授乳の際に整え直すことを要しないから、この下着は同じ位置に維持され、授乳時間全体を通して着衣者の腹部および背中部分がこの下着により覆われたままとなる。この下着を留め具により着衣者のブラジャーに取着させたとき、その取着は確実になされ、着衣者が乳児を腰部で支えた場合でも、この下着が押されて下に下がってしまう可能性を防止することができる。更に、この下着は、着衣者は、その背中が全体的に露出されることを心配する必要がないから、通常の衣服を着衣することを可能にする。ウエスト被覆部をブラジャーに取着させるための留め具はブラジャーの如何なる変更にも対応することが可能で、従来の如何なるブラジャーに対してもこの下着を容易に着替えることができる。本発明は更に、他の実施例として、支持のためのショルダーストラップを必要としない下着を提供する。ショルダーストラップの必要性をなくすことから、ブラジャーのより良好な利用を可能にする。なぜならば、衣服又は下着のストラップの位置がしばしば、ブラジャーのストラップを覆ったり、干渉することがあるからである。特に、従来の授乳用ブラジャーの使用の場合にその問題が生じる。
【００１５】
少なくとも１つの留め具が、この下着から着脱自在となっていることが好ましい。これは下着の更なる利用性を高め、下着の洗濯を容易にする。
【００１６】
少なくとも１つの留め具が、ウエスト被覆部の複数の位置に対し移動自在に配置されることが好ましい。それにより着衣者に希望、安らぎを与えることができ、この下着と共に着用されるブラジャーの構成、形の違いに適応することができる。
【００１７】
更に、少なくとも１つの留め具が、乳児に対し、接近および傷害を回避するため、被覆されていることが好ましい。更に、少なくとも１つの留め具がサスペンダータイプのクリップであることが好ましい。
【００１８】
１つの形態として、この下着は更に、前記の少なくとも１つの留め具と、ウエスト被覆部との連結のための少なくとも１つの留め具受入れ部分を有する。ここで、この少なくとも１つの留め具受入れ部分は、ウエスト被覆部の上縁に取着された弾性帯体を含むものである。他の形態として、この少なくとも１つの留め具受入れ部分は、ウエスト被覆部の上縁に取着された少なくとも１つのループを含むものである。更に他の形態として、この少なくとも１つの留め具受入れ部分は、ウエスト被覆部の上縁に取着された少なくとも１つのフックを含むものである。
【００１９】
本発明の更に好ましい特徴として、ウエスト被覆部が、着衣者の首部及び／又は肩部を越えて延出する少なくとも１つのストラップを受入れるようになっている。更に好ましいものとして、この少なくとも１つのストラップがウエスト被覆部から着脱自在となっている。この着脱自在なストラップ又は複数のストラップは着衣者に対し、ブラジャー取着手段のみ、又はストラップ（又は複数のストラップ）のみ、又はブラジャー取着手段およびこれらストラップの双方の利用を介して、この下着を利用する選択性を可能にする。これにより着衣者の要望に応じて、より多様な下着を提供することができる。
【００２０】
従って、本発明の下着は、着衣者の乳房又はブラジャーに対し、下着の調え直しを要することなく、常時、容易に接近することを可能にし、更に、授乳の間において、着衣者の腹部および背中部分の露出を少なくすることができる。これにより、乳児に対する授乳を控えめに、かつ、気楽におこなうことができる。
【発明を実施するための最良の形態】
【００２１】
以下、本発明の好ましい実施例を添付図面を参照して説明する。
本発明を多数の好ましい実施例を参照して説明するが、本発明を多くの異なる方法で実施し得ること、並びに本発明の趣旨および範囲から逸脱することなく、種々の変形例が可能であることは当業者にとって自明であろう。
【００２２】
図１の実施例を参照すると、下着１は、ウエスト被覆部２と、このウエスト被覆部２をブラジャーに取着させるための複数の留め具３とを備えている。
【００２３】
ウエスト被覆部２は、着衣者の前面で乳房の少なくとも直下から下方に向けて着衣者の前方および後方領域を覆う任意のタイプの材料からなるものでよい。このウエスト被覆部２は着衣者の乳房の近くに位置してもよいが、乳房を覆うものであってはならない。このウエスト被覆部２は、更に、下方に向けて所望に応じて延出していてもよいが、着衣者のほぼ腰部まで延出させることが好ましい。
【００２４】
留め具３は任意のタイプのものでよい。留め具の例としては、特に限定されるものではないが、ホック、安全ピン、かぎホック、ベルクロ（登録商標）、ブラジャーの如何なる変更も要しないサスペンダータイプの留め具（すなわち、非特定目標物又は機器に取着できるようにしたもの）が含まれる。従って、サスペンダータイプのクリップの使用が好ましい。
【００２５】
留め具３の数については制限はなく、ウエスト被覆部２の周りに沿って任意の位置に配置させることができるが、留め具３は図１に示すように配置させることが好ましい。なお、これらの位置は大凡のものである。
−１個のクリップを一対の乳房の間のウエスト被覆部２の前面中央に配置させる。
−２個のクリップをウエスト被覆部２の背後中央から等しく離間させて配置させる。好ましくは、背後中央から３．５ｃｍ以上離し、ブラジャーの留め具本体を避けるようにする。
−２個のクリップをウエスト被覆部２の側方領域に配置させる。
これらの特定の位置は着衣者にとって最も心地よいものと思われ、多くのブラジャーへの補足的取着のための位置でもある。
【００２６】
図２は、授乳用ブラジャー４を付けたヒト２５に着衣されている図１の実施例のものを示している。なお、この授乳用ブラジャー４は、本発明の１部を構成するものではなく、従来の任意の種類のブラジャーを本発明の下着と共に使用することができる。図２に示すように、下着１は着衣者の乳房又はブラジャー４を覆っていない。従って、この下着１は、授乳用ブラジャー４を使用しながら授乳する際に整え直す必要はない。この下着１は母親の腹部および背中部分を常時、覆った状態に保持される。
【００２７】
ウエスト被覆部２は、任意の適当な材料から作ることができる。好ましくは、ウエスト被覆部２は弾性又は可撓性の材料から作られる。これは下着が、着用者間の体形、サイズの違いに関係なく、着用時に伸縮することにより着用者の皮膚に隣接させて下着を保持させることを助けるからである。これは更に、十分な緊張力を有し、着衣者の上着と共に持ち上がることに対し、抵抗を示すものである。身体へぴったり合うようにするため、この材料は長手方向に延伸するよりも周方向により大きく延伸するようにする。縦糸に沿って約１０％から３０％の範囲で伸張性を有し、横糸に沿って約１０％ないし２０％の範囲で伸張性を有する１００％綿織物は、望ましい結果を与えるものと予想される。軽量綿下着材料は極めて適当であり、感触を高めるため厚さを二重にしてもよい。任意の所望の色のものを使用することができるが、色は衣服の下の下着を隠蔽させるものを選択することが好ましい。この下着は、その他、保熱性を高める織物、例えばＰｏｌａｒｔｅｃｈ（登録商標）から作られるものでもよい。
【００２８】
ウエスト被覆部２の長さは、着衣者のウエスト又は腰部まで下方に延出させることが好ましい。乳房の下での配置を助けるため、下着の頂部は延伸性縁又はゴム入り布からなることが好ましい。
【００２９】
ウエスト被覆部２をブラジャー４に取着させるための留め具は、図３ａおよび図３ｂに示すようなサスペンダータイプのクリップ６であることが好ましい。このサスペンダータイプのクリップ６は、クリップ６の２つの部材７，８間にブラジャー織物を配置させることを可能にし、これら部材７，８はついで、舌片９により互いに締め付けられ、ブラジャー織物を所定位置に保持させる。このサスペンダータイプのクリップの場合、ブラジャー自体を変える必要はない。このサスペンダータイプのクリップ６は、着衣者の心地よさのため、好ましくは、幅が１．７５ｃｍより小さく、長さが３．５ｃｍより短く、０．７５ｃｍより厚くないことが好ましい。このような寸法よりも小さいクリップを使用することが最も好ましい。このサスペンダータイプのクリップ６は当業者にとって周知であり、これらクリップについての機構について更に言及する必要はないと思われる。
【００３０】
このサスペンダータイプのクリップ６をウエスト被覆部に接続させる機構は、サスペンダータイプのクリップ６自体の構成に依存する。その取着手段（又は、留め具受入れ部分）の１実施例が図４に示されている。ゴム入り布５の帯体が、ウエスト被覆部２の内側にその上縁に近づけて、或る間隔をあけて縫い合わされている。このゴム入り布５は好ましくは、ウエスト被覆部２の周りに沿って全体的に、ほぼ２．５ｃｍの間隔をあけて縫い合わされている。これにより、クリップ６をゴム入り布５に留めさせるのに十分に大きな間隔を提供しながら、ゴム入り布５を所定位置にて十分に保持させることができる。このような間隔をウエスト被覆部２の周りに沿って全体的に設けることにより、着衣者がクリップ６の位置決めを適宜、変えることができる。クリップ６の顎部がゴム入り布５を最初に握持し、ついでブラジャー織物を握持し、下着１をブラジャー４に取着させる。このクリップ６は、その握持作用を解き、ゴム入り布５から外れるように摺動させることによりウエスト被覆部から完全に離脱させることができる。このクリップ６の除去により下着を容易に洗濯することが可能となり、更に下着１をクリップ６ではなく、ショルダーストラップによって使用するよう変換させることができる。
【００３１】
図５，６および７はクリップ６をウエスト被覆部２に取着させるための他の変形例（すなわち、留め具受入れ部分の変形例）を示している。図５においては、このクリップ６はフル・アタッチメント・クリップループ（ｆｕｌｌ  ａｔｔａｃｈｍｅｎｔ  ｃｌｉｐ  ｌｏｏｐ）１６を一体的に備えている。織物片などがクリップループ１６の周りにループ１７を形成している。フック１８がついで、ウエスト被覆部２に縫いつけられ、クリップ６に取着された織物ループ１７内にフック１８が、フック１８の開口アーム１０を介して挿入される。ついで、クリップ６が、その顎部７，８間にブラジャー織物を握持し、それにより下着１をブラジャー４に取着させる。このクリップ６は、フック１８から外に向けて摺動させることによりウエスト被覆部２から容易に除去することができる。
【００３２】
図６において、クリップ６はそれに一体的に取着させた開放ループ１１を備えている。織物ループ１２はウエスト被覆部２に縫い付けられ、ループ１１の開口アームを、それを介して摺動させることにより、クリップ６をウエスト被覆部２に取着させる。
【００３３】
図７において、織物片１３が一端でウエスト被覆部２に縫い付けられている。この織物片１３がループ１６を介してクリップ６内に挿通され、折り返されて、ボタン又は押し止め手段１４を介して織物片１３の端部に取着される。ついで、クリップ６がウエスト被覆部２に確実に取着される。ただし、この織物片１３のループのボタンを単に外すことによりクリップ６を容易に取り除くことができる。
【００３４】
図８および９を参照すると、これらには本発明の他の実施例、つまり、クリップ３および２つのショルダーストラップの双方を利用した例が示されている。クリップ３は上述のようにして使用され、取着される。ショルダーストラップは下着１から取り外すことができ、それにより、クリップ３のみで、下着１を着衣することができる。
【００３５】
ショルダーストラップ１５は、好ましくは、着衣者の要望および心地よさに応じて、その長さを調節することができるようになっている。種々の形態のストラップ部材を使用することができ、それらは当業者に自明のものである。このストラップは弾性材料から作ることができ、その他、又はそれに加えて、バックルなどの長さ調節のための調整手段を有するものであってもよい。このトラップ１５は、最も心地よくするため、着衣者の乳房の両側に配置させることが好ましい。更に、トラップ１５の後部は、着衣者を心地よくするため、ブラジャーの背後留め部を避けるようにして配置させることが好ましい。
【００３６】
トラップ１５は、当業者に公知の任意の適当な手段により下着１に対し、着脱自在に取着される。例えば、ホック、安全ピン、かぎホック、ベルクロ（登録商標）などを着脱自在な取着手段として用いることができる。ストラップが確実に下着１に固定されるようにするため、図１１に示すようなかぎホックを使用することが好ましい。ループ１８はウエスト被覆部２に縫い付けてもよく、フック１９は、このループ１８に取着させるため、ストラップ１５の両端部に設けてもよい。もし、クリップ取着ループが適当な位置にある場合は、ストラップ１５の取着に、このクリップ取着ループを利用してもよい。
【００３７】
図１０に示すように、本発明の下着１は、クリップ３を取り除いて、ストラップ１５のみを使用して着衣することができる。
【００３８】
本発明の下着１は好ましくは、授乳の際にクリップ３が乳児の手が届かないようにするため、クリップ３を覆う手段を備えていてもよい。これは、図１２に示すように、ウエスト被覆部２の上縁にクリップ３を覆う織物又はレースの帯２０を取着させることにより達成することができる。その他、織物又はレースの帯２０を折り畳み、クリップ３の顎部の上から、その中に挿入するようにしてもよい。更に、その他、図１３に示すように、ウエスト被覆部２の頂部の下にクリップ３を取着させてもよい。この後者の場合、クリップ３の取着位置をあまり下にしないほうがよい。なぜならば、あまり下にすると、下着１がブラジャー４の使用を制約することになるからである。クリップ３は、下着１が着衣者の乳房より完全に下方に着衣されるような位置に配置されるべきである。
【００３９】
以上、本発明を、授乳の際に適したものと、特定して記載したが、本発明による下着は、通常の下着としても着衣することができることを理解されるべきである。本発明の下着はこのように、ブラジャーの着替えを必要とすることなく、任意のタイプのブラジャーと共に使用することができる。しかし、授乳の際には、授乳を最適にするため、授乳用ブラジャーと共に使用することが望ましい。
【００４０】
本発明は、着衣者の乳房領域に容易に接近することできるという利点があり、これは乳房への接近が非常に重要である、授乳の際の母親にとって特に適したものである。この下着は更に、授乳の際の乳房への接近のために、母親が下着を調え直す必要性を解消するという利点をも奏するものである。これは、母親にとって、彼女の腹部および背中部分を露出させることへの心配を生じさせないことになる。本発明は更に、ブラジャーのストラップとの干渉を生じさせないという利点をも奏する。これは、着衣者がストラップレスのブラジャーを着衣し、しかもウエスト被覆部を覆う下着を着衣したいと望んでいる場合に有利となる。更にこれは、授乳用ブラジャーを着衣している母親にとって、本発明の下着が授乳用ブラジャーのストラップ（これには、しばしば、カップ取着手段が設けられている）を覆う必要がないことから、有利となる。本発明は更に、母親が彼女の背中全体が露出されることについて心配することなく、下着の上に通常の衣服を着衣することを可能にするものである。
【図面の簡単な説明】
【００４１】
【図１】本発明の下着の１例を示す斜視図。
【図２】ブラジャーと共に着用された図１の実施例を示す斜視図。
【図３ａ】ウエスト被覆部をブラジャーに取着させるために使用される留め具の１例を示すもので、この留め具が開口、非固定位置にある状態を示す側面図。
【図３ｂ】図３ａの留め具が閉じられ、固定位置にある状態を示す側面図。
【図４】留め具受入れ部分およびウエスト被覆部をブラジャーに取着させるための留め具の１実施例を示す側面図。
【図５】留め具受入れ部分およびウエスト被覆部をブラジャーに取着させるための留め具の他の実施例を示す側面図。
【図６】留め具受入れ部分およびウエスト被覆部をブラジャーに取着させるための留め具の更に他の実施例を示す側面図。
【図７】留め具受入れ部分およびウエスト被覆部をブラジャーに取着させるための留め具の更に他の実施例を示す側面図。
【図８】本発明の下着の他の実施例を示す前面図。
【図９】図８の実施例の背面を示す図。
【図１０】本発明の下着の他の実施例を示す斜視図。
【図１１】ショルダーストラップをウエスト被覆部に取着させるための手段の１例を示す側面図。
【図１２】本発明の下着の更に他の実施例を示す斜視図。
【図１３】本発明の下着の更に他の実施例を示す斜視図。
【符号の説明】
【００４２】
１：下着，２：ウエスト被覆部，３：留め具，４：授乳用ブラジャー，６：クリップ，９：舌片，１０：開口アーム，１１：開放ループ，１２：織物ループ，１３：織物片
【図１】
2007131995.tif 000003
【図２】
2007131995.tif 000004
【図３ａ】
2007131995.tif 000005
【図３ｂ】
2007131995.tif 000006
【図４】
2007131995.tif 000007
【図５】
2007131995.tif 000008
【図６】
2007131995.tif 000009
【図７】
2007131995.tif 000010
【図８】
2007131995.tif 000011
【図９】
2007131995.tif 000012
【図１０】
2007131995.tif 000013
【図１１】
2007131995.tif 000014
【図１２】
2007131995.tif 000015
【図１３】
2007131995.tif 000016
【外国語明細書】
2007131995000001.pdf